(57)【要約】  【課題】引出し装置を備えた冷蔵庫に関し、ガタツキの少ない高品位かつ荷重を加えても操作力の小さい使い勝手の良い引出しを有する冷蔵庫を提供することを目的とする。  【解決手段】レール部材３２は固定レール３２ａと、扉支持部材３２ｆを設けた移動レール３２ｂと、固定レール３２ａと移動レール３２ｂと、固定レール３２ａと移動レール３２ｂとの係合を支持する回転支持部材である複数のベアリング３２ｄとを有し、固定レール３２ａと移動レール３２ｂとベアリング３２ｄとを予め組み込んだ状態で固定レール３２ａを断熱箱体の両側部に設けた位置規制手段に固定し、移動レール３２ｂを扉支持部材３４に固定したので、ガタの少ない高品位な引出し扉とすることができるとともに、容器の着脱性が向上することで使い勝手の向上を図ることができる。【選択図】図３
2006023012.tif 000002
【特許請求の範囲】
【請求項１】
内箱と、外箱と、前記内箱と外箱間に充填した発泡断熱材とよりなる前面開口部を有する断熱箱体と、前記貯蔵室の内部に備えた容器と、前記貯蔵室に備えられ前記容器を前後に移動可能とするレール部材と、前記レール部材の固定位置を規制する位置規制手段と、内板と外板と前記内板と外板間に充填した発泡断熱材とからなる扉とを備え、前記レール部材は固定レールと移動レールとを有し、前記固定レールと移動レールはそれぞれ回転支持部材で支持され、前記固定レールと移動レールとを予め組み込んだ状態で前記固定レールを前記断熱箱体の両側部に設けた位置規制手段に固定し、前記扉には扉支持部材を備え、前記移動レールと扉支持部材とを連結するとともに前記容器を前記扉支持部材に支持することを特徴とする冷蔵庫。
【請求項２】
内板と外板と前記内板と外板間に充填した発泡断熱材とからなる扉の発泡断熱材側に扉支持部材取付時の補強用の扉補強部材を設けたことを特徴とする請求項１に記載の冷蔵庫。
【請求項３】
左右の扉支持部材を別体に形成し内板を介して扉補強部材に固定したことを特徴とする請求項２に記載の冷蔵庫。
【請求項４】
左右の扉支持部材をコの字状に一体に形成し内板を介して扉補強部材に固定したことを特徴とする請求項２に記載の冷蔵庫。
【請求項５】
扉補強部材を内板よりも高剛性材料で形成したことを特徴とする請求項１から４のいずれか一項に記載の冷蔵庫。
【発明の詳細な説明】
【技術分野】
【０００１】
本発明は、引出し装置を備えた冷蔵庫に関し、特に引出しレール取付けの構成に関するものである。
【背景技術】
【０００２】
近年、冷蔵庫は大型化に伴い、収納量が増加の傾向にあり、収納量の増加、使い勝手の向上を図るため、引出し装置を備えたものが主流となってきている（例えば、特許文献１参照）。
【０００３】
以下、図面を参照しながら、上記従来の引出し装置を備えた冷蔵庫について説明する。
【０００４】
図７は、従来の冷蔵庫の引出し式扉の斜視図である。図８は従来の冷蔵庫の引出し装置の要部断面図である。図９は、従来の冷蔵庫の引出し装置の断面図である。従来技術の冷蔵庫の引出し装置１７は、冷蔵庫本体前面の開閉自在の扉１と、この扉裏面左右に一端を固定したフレーム２と、後端を連結した連結フレーム１６と、フレーム２の後端に取り付けられた可動ローラー３と、内箱側壁４に固定，取付けられた前記フレーム２と可動ローラー３を摺動支持する固定レール５と固定ローラー６と、前記フレーム２と、連結フレーム１６に載置された庫内ケース１５で構成される。また、フレーム側面９は平面であり、固定レール５の溝部１２も平面である。
【０００５】
そして、扉１の扉裏面左右にあらかじめ固定したフレーム２の後端に取り付けられた可動ローラー３を、冷蔵庫本体側にあらかじめ取り付けた固定レール５の溝部１２に挿入し、フレーム２の底面と固定ローラー６が接して摺動するように組み込まれるものである。
【０００６】
上記構成において、扉１を開閉すると、扉１に一端を固定したフレーム２と、フレーム２に連結された連結フレーム１６と、これらに載置された庫内ケース１５と可動ローラー３が、固定レール５と固定ローラー６上を摺動し、扉１と同期した前後方向の動きを可能としている。
【特許文献１】実公昭６０−２７９１３号公報
【発明の開示】
【発明が解決しようとする課題】
【０００７】
しかしながら、上記従来の冷蔵庫では、扉１の扉裏面左右にあらかじめ固定したフレーム２を冷蔵庫本体側にあらかじめ取り付けた固定レール５に組み込んで使用するため、フレーム２あるいは固定レール５の取付ばらつき、組立性を考慮して、組み込み状態でレールとローラー間には、ある程度のクリアランスを設定して設計している。このクリアランスにより扉１の開閉時に左右のガタツキが生じ、操作性が損なわれたり、操作時の品位が上がらないという課題を有していた。
【０００８】
本発明は上記従来の課題を解決するものであり、ガタツキの少ない高品位かつ荷重を加えても操作力の小さい使い勝手の良い引出しを有する冷蔵庫を提供することを目的とする。
【課題を解決するための手段】
【０００９】
上記従来の課題を解決するために、本発明の冷蔵庫は、固定レールと移動レールとをあらかじめ組み込んだ状態のレール部材の固定レールを断熱箱体の両側部に設けた位置規制手段に固定し、扉には扉支持部材を備え、移動レールと扉支持部材とを連結するとともに容器を扉支持部材に支持するものである。
【００１０】
これによって固定レールと移動レールとのクリアランスを小さくすることができ、ガタの少ない高品位な引出しを構成することができる。
【００１１】
また、レール部材の移動レールと扉支持部材とを連結し容器を扉支持部材に支持することで、容器の着脱性が向上するとともに、レール部材の操作性の確保、組立信頼性の向上を図ることができる。
【発明の効果】
【００１２】
本発明の冷蔵庫は、ガタツキが小さく、容器に荷重を加えた場合でも滑らかに引出しを開閉することができ、高品位で使い勝手の良い冷蔵庫を提供することができる。
【発明を実施するための最良の形態】
【００１３】
請求項１に記載の発明は、内箱と、外箱と、前記内箱と外箱間に充填した発泡断熱材とよりなる前面開口部を有する断熱箱体と、前記貯蔵室の内部に備えた容器と、前記貯蔵室に備えられ前記容器を前後に移動可能とするレール部材と、前記レール部材の固定位置を規制する位置規制手段と、内板と外板と前記内板と外板間に充填した発泡断熱材とからなる扉とを備え、前記レール部材は固定レールと移動レールとを有し、前記固定レールと移動レールはそれぞれ回転支持部材で支持され、前記固定レールと移動レールとを予め組み込んだ状態で前記固定レールを前記断熱箱体の両側部に設けた位置規制手段に固定し、前記扉には扉支持部材を備え、前記移動レールと扉支持部材とを連結するとともに前記容器を前記扉支持部材に支持するものであり、固定レールと移動レールとをあらかじめ組み込んだ状態のレール部材を適用することにより固定レールと移動レールとのクリアランスを小さくすることができ、ガタの少ない高品位な引出しを構成することができる。また、固定レールと移動レールとの間を回転支持部材で支持することにより容器に荷重を加えた場合でも滑らかに移動レールが移動できるので引出しの操作力を低減することができ、使い勝手の向上を図ることができる。また、レール部材の移動レールと扉支持部材とを連結し容器を扉支持部材に支持することで、容器の着脱性が向上するとともに、レール部材の操作性の確保、組立作業性の向上を図ることができる。
【００１４】
請求項２に記載の発明は、請求項１に記載の発明において、内板と外板と前記内板と外板間に充填した発泡断熱材とからなる扉の発泡断熱材側に扉支持部材取付時の補強用の扉補強部材を設けたものであり、構造強度を高めるとともに組立作業性向上を図ることができる。
【００１５】
請求項３に記載の発明は、請求項２に記載の発明において、左右の扉支持部材を別体に形成し内板を介して扉補強部材に固定したものであり、扉支持部材の兼用化が可能となりコスト低減、軽量化を図ることができる。
【００１６】
請求項４に記載の発明は、請求項２に記載の発明において、左右の扉支持部材をコの字状に一体に形成し内板を介して扉補強部材に固定したものであり、扉支持部材の強度の向上と幅方向の寸法精度が高まる。
【００１７】
請求項５に記載の発明は、請求項１から４のいずれか一項に記載の発明において、扉補強部材を内板よりも高剛性材料で形成したものであり、扉支持部材の固定強度高まり、長期的に操作信頼性を確保することができる。
【００１８】
以下、本発明の実施の形態について、図面を参照しながら説明する。なお、この実施の形態によってこの発明が限定されるものではない。
【００１９】
（実施の形態１）
図１は本発明の実施の形態１における冷蔵庫の横断面図、図２は図１のＡ−Ａ断面図、図３は同実施の形態の冷蔵庫の要部概略組立図、図４は、図３の扉部のＢ矢視図、図５は、図３のＣ−Ｃ断面図である。
【００２０】
図１から図５において、冷蔵庫１８の断熱箱体１９は内箱２０と外箱２１との間に発泡断熱材２２を充填したものであり、前面開口部１９ａを有し、仕切壁２３、２３ａ、２６により、上部より冷蔵室２４、切替室２５、野菜室２７、冷凍室２８を形成している。
【００２１】
仕切壁２６の両側面は開放部２６ａを有し、仕切壁２６内部には断熱箱体１９と同様に発泡断熱材２２が充填されている。また、仕切壁２６の上部に配置する野菜室２７は冷却温度が５℃程度、下部に配置する冷凍室２８は冷却温度が−２０℃程度というように仕切壁２６を介して上下に異なる温度帯に設定されている。また、野菜室扉２９、冷凍室扉３０は内板３５と外板３６との間に発泡断熱材３７を充填したものである。
【００２２】
野菜室２７と冷凍室２８はそれぞれ前面開口部１９ａを野菜室扉２９と冷凍室扉３０にて閉塞され、更に野菜室扉２９および冷凍室扉３０は、それぞれ扉支持部材３４およびレール部材３２により前後方向に引出し摺動可能となっている。
【００２３】
レール部材３２は、固定レール３２ａと、移動レール３２ｂと、固定レール３２ａと移動レール３２ｂとの間に備えられた中間走行レール３２ｃと、中間走行レール３２ｃと固定レール３２ａおよび移動レール３２ｂとの係合を支持する回転支持部材である複数のベアリング３２ｄとからなり、固定レール３２ａと移動レール３２ｂと中間走行レール３２ｃとベアリング３２ｄとを予め組み込んだ状態で、固定レール３２ａを、内箱２０を介して発泡断熱材２２側に設けた位置規制を兼ねた補強部材３１に左右それぞれ固定される。
【００２４】
また、扉支持部材３４は、下方を段付したフレーム３４ａと取付部３４ｂとからなり、左右それぞれ別々に野菜室扉２９に連結固定される。この時、内板３６の発泡断熱材３７側には扉支持部材３４の固定と補強を兼ねた、内板３６よりも高剛性材料、例えば鋼板からなる１枚ものの扉補強部材３８を設けており、扉支持部材３４側に設けた位置決めピン（図示せず）と取付部３４ｂの取付穴３４ｃで位置決めするとともに取付ネジ３４ｄでそれぞれ固定される。
【００２５】
そして、野菜室扉２９に扉支持部材３４を連結固定した状態で、レール部材３２の移動レール３２ｂと扉支持部材３４の段付したフレーム３４ａを固定穴３４ｅと取付ネジ３４ｄにより連結固定し、フレーム３４ａの上方から容器３３を載置する。
【００２６】
なお、固定レール３２ａと移動レール３２ｂと、固定レール３２ａと移動レール３２ｂとの間にベアリング３２ｄを介して配設した中間走行レール３２ｃとを有するレール部材３２は予め組み込んだものであり、それぞれのレール間のクリアランスを最小限に設定することができる。
【００２７】
また、ベアリング３２ｄは回転支持部材であればよく、たとえばローラー等を用いてもよい。
【００２８】
以上のように構成された冷蔵庫について、以下その動作、作用を説明する。
【００２９】
まず、各貯蔵室ドアを手前に引出すと各貯蔵室の両側部に備えられたレール部材３２の移動レール３２ｂと中間走行レール３２ｃとがベアリング３２ｄが回転することにより滑らかに手前側に摺動する。それに伴い、扉支持部材３４のフレーム３４ａに支持された容器３３も手前に引出され、容器３３内に収納された被冷却物の取出し及び新たな被冷却物の収納が可能となる。
【００３０】
特に、レール部材３２は、固定レール３２ａと、移動レール３２ｂと、固定レール３２ａと移動レール３２ｂとの間に備えられた中間走行レール３２ｃと、中間走行レール３２ｃと固定レール３２ａおよび移動レール３２ｂとの係合を支持する回転支持部材である複数のベアリング３２ｄとからなり、固定レール３２ａと移動レール３２ｂと中間走行レール３２ｃとベアリング３２ｄとを予め組み込んだ状態で、固定レール３２ａを、内箱２０を介して発泡断熱材２２側に設けた位置規制を兼ねた補強部材３１に左右それぞれ固定しているので、固定レール３２ａと移動レール３２ｂとのクリアランスを小さくすることができ、ガタの少ない高品位な引出しを構成することができる。また、クリアランスを小さくすることにより取付けのバラツキも小さくできるのでドアの取付け不具合による傾きや他のドアとの間隔の不均一化という外観不良も抑制することができる。これらの効果はレール部材３２の引出し代が大きいほど効果的である。また、固定レール３２ａと移動レール３２ｂとの間を回転支持部材であるベアリング３２ｄで支持することにより容器３３に荷重を加えた場合でも滑らかに移動レール３２ｂが移動できるので引出しの操作力を低減することができ、使い勝手の向上を図ることができる。
【００３１】
また、野菜室扉２９に扉支持部材３４を連結固定した状態で、レール部材３２の移動レール３２ｂと扉支持部材３４の段付したフレーム３４ａを固定穴３４ｅと取付ネジ３４ｄにより連結固定し、フレーム３４ａの上方から容器３３を載置することで、容器３３の着脱性が向上するとともに、レール部材３２の操作性の確保、組立作業性の向上を図ることができる。
【００３２】
また、内板３６の発泡断熱材３７側には扉支持部材３４の固定と補強を兼ねた扉補強部材３８を設けたことにより、扉支持構造強度を高めるとともに組立作業性向上を図ることができる。また、扉補強部材３８が扉支持部材３４の幅寸法あるいは平行度を規制できることで、固定レール３２ａと移動レール３２ｂとのクリアランスを小さく設定したレール部材３２をあらかじめ組み込んだ状態での適用が可能となり、長期にわたって操作信頼性の確保も図ることができる。
【００３３】
また、扉補強部材３８は内板３６よりも高剛性材料で形成しているので、扉支持部材の固定強度がさらに高まり、長期的に操作信頼性を確保することができる。
【００３４】
また、扉支持部材３４は、下方を段付したフレーム３４ａと取付部３４ｂとからなり、左右それぞれ別々に野菜室扉２９に連結固定されるので、扉支持部材３４の兼用化が可能となりコスト低減、さらに軽量化を図ることができる。
【００３５】
なお、本実施の形態では野菜室扉２９で説明したが、冷凍室扉３０、あるいは野菜室２７の上部に位置する切替室２５や、切替室２５の横に併設した製氷室（図示せず）等の引き出し扉に用いてもよい。
【００３６】
また、扉支持部材３４は、左右それぞれ別々に野菜室扉２９に連結固定したもので説明したが、図６に示すように、左右の扉支持部材３４をコの字状に一体に形成し内板３６を介して扉補強部材３８に固定してもよい。この場合、扉支持部材３４の強度の向上と幅方向の寸法精度がさらに高まる。
【産業上の利用可能性】
【００３７】
以上のように、本発明にかかる冷蔵庫は、ガタツキが小さく、容器に荷重を加えた場合でも滑らかに引出しを開閉することができ、高品位で使い勝手の良い引出し収納ができるので、冷凍装置を備えた冷却貯蔵庫の引出し装置等の用途にも適用できる。
【図面の簡単な説明】
【００３８】
【図１】本発明の実施の形態１における冷蔵庫の横断面図
【図２】図１のＡ−Ａ断面図
【図３】同実施の形態の冷蔵庫の要部概略組立図
【図４】図３のＢ矢視図
【図５】図３のＣ−Ｃ断面図
【図６】本発明の他の実施の形態の扉の斜視図
【図７】従来の冷蔵庫の引出し式扉の斜視図
【図８】従来の冷蔵庫の引出し装置の要部断面図
【図９】従来の冷蔵庫の引出し装置の断面図
【符号の説明】
【００３９】
１８  冷蔵庫
１９  断熱箱体
１９ａ  前面開口部
２０  内箱
２１  外箱
２２、３７  発泡断熱材
２７  野菜室
２８  冷凍室
２９  野菜室扉
３０  冷凍室扉
３２  レール部材
３２ａ  固定レール
３２ｂ  移動レール
３２ｃ  中間走行レール
３２ｄ  ベアリング
３４  扉支持部材
３５  内板
３６  外板
３８  扉補強部材
【図１】
2006023012.tif 000003
【図２】
2006023012.tif 000004
【図３】
2006023012.tif 000005
【図４】
2006023012.tif 000006
【図５】
2006023012.tif 000007
【図６】
2006023012.tif 000008
【図７】
2006023012.tif 000009
【図８】
2006023012.tif 000010
【図９】
2006023012.tif 000011